(57)【要約】【課題】Ｘ線管の管軸方向における寸法が短い回転陽極型Ｘ線管装置を提供すること。【解決手段】陽極ターゲット１５および陰極２３を真空外囲器１４内に配置した回転陽極型Ｘ線管１２と、この回転陽極型Ｘ線管１２を収納するハウジング１１と、このハウジング１１を貫通し、陽極ターゲット１５および陰極２３の少なくとも一方に高電圧を供給する高電圧供給構体２４とを具備した回転陽極型Ｘ線管装置において、高電圧供給構体２４が、回転陽極型Ｘ線管１２の管軸ｍに対しほぼ平行するハウジング１１の側壁部分１１１を貫通する。【選択図】　図１
2004134096.tif 000002
【特許請求の範囲】
【請求項１】
陽極ターゲットおよび陰極を真空外囲器内に配置した回転陽極型Ｘ線管と、この回転陽極型Ｘ線管を収納するハウジングと、このハウジングを貫通し、前記陽極ターゲットおよび前記陰極の少なくとも一方に高電圧を供給する高電圧供給構体とを具備した回転陽極型Ｘ線管装置において、前記高電圧供給構体が、前記回転陽極型Ｘ線管の管軸に対しほぼ平行する前記ハウジングの側壁部分を貫通することを特徴とする回転陽極型Ｘ線管装置。
【請求項２】
陽極ターゲットおよび陰極を真空外囲器内に配置した回転陽極型Ｘ線管と、この回転陽極型Ｘ線管を収納するハウジングと、このハウジングを貫通し、前記陽極ターゲットおよび前記陰極の少なくとも一方に高電圧を供給する高電圧供給構体とを具備した回転陽極型Ｘ線管装置において、前記高電圧供給構体が、前記回転陽極型Ｘ線管の管軸に対しほぼ直交する向きで前記ハウジングを貫通することを特徴とする回転陽極型Ｘ線管装置。
【請求項３】
高電圧供給構体は、回転陽極型Ｘ線管の真空外囲器の一部に固定され、かつ内部に空間が形成されたレセプタクルと、このレセプタクルの前記空間に差し込まれるケーブルプラグとを有する請求項１または請求項２記載の回転陽極型Ｘ線管装置。
【請求項４】
ハウジングは管軸にほぼ平行する面で分離できる２つのハウジング部分から構成されている請求項１ないし請求項３のいずれか１つに記載の回転陽極型Ｘ線管装置。
【請求項５】
ハウジング内に冷却液が充填され、２つの前記ハウジング部分の接合面にシール部材を配置した請求項４記載の回転陽極型Ｘ線管装置。
【請求項６】
陽極ターゲットおよびこの陽極ターゲットが連結する回転体、この回転体を軸受を介して回転可能に支える固定体、電子ビームを発生する陰極を有する回転陽極型Ｘ線管と、この回転陽極型Ｘ線管を収納するハウジングと、このハウジングを貫通し、前記陽極ターゲットに高電圧を供給する高電圧供給構体とを具備した回転陽極型Ｘ線管装置において、前記高電圧供給構体が、前記回転陽極型Ｘ線管の管軸に対しほぼ平行する前記ハウジングの側壁部分を貫通し、かつ、前記固定体端面に設けられた凹部内のばね部材と電気的に接続することを特徴とする回転陽極型Ｘ線管装置。
【発明の詳細な説明】
【０００１】
【発明の属する技術分野】
本発明は回転陽極型Ｘ線管装置に関する。
【０００２】
【従来の技術】
回転陽極型Ｘ線管装置は、回転陽極型Ｘ線管をハウジング内に収納して構成され、たとえば循環器診断装置やＣＴ装置などの医療用診断装置に組み込まれて使用される。
【０００３】
ここで、従来の回転陽極型Ｘ線管装置について図４を参照して説明する。ハウジング４１内に回転陽極型Ｘ線管４２が収納され、ハウジング４１と回転陽極型Ｘ線管４２の隙間に冷却液たとえば絶縁油が満たされている。ハウジング４１は、回転陽極型Ｘ線管４２の管軸ｍの延長方向に伸びる筒状側壁４１１、および、筒状側壁４１１の前後の開口を閉じる前壁４１２や後壁４１３などから構成され、筒状側壁４１１の一部にＸ線用出力窓４１ｗが設けられている。
【０００４】
回転陽極型Ｘ線管４２は真空外囲器４３などから構成され、真空外囲器４３の一部にＸ線用出力窓４３ｗが設けられている。真空外囲器４３は、径が大きい径大部４３１およびこの径大部４３１よりも径が小さい径小部４３２、筒状空間をもつ筒状部４３３、円筒状の陰極収納部４３４などから構成されている。
【０００５】
径大部４３１に陽極ターゲット４４が配置されている。陽極ターゲット４４は継手部４５を介して回転支持機構４６に連結され、回転支持機構４６によって回転可能に支持されている。回転支持機構４６は、継手部４５に連結する回転体４７およびこの回転体４７に嵌合する固定体４８などから構成され、回転体４７の下端筒状部の外周面に筒状ロータ４９が接合されている。回転体４７と固定体４８の嵌合部分に、ラジアル方向およびスラスト方向の動圧式すべり軸受が設けられている。図では、２組のラジアル方向の動圧式すべり軸受５０が示されている。固定体４８はその図示上下の両端が真空外囲器４３に固定されている。真空外囲器４３の外側たとえばロータ４９を囲む位置に誘導電磁界を発生するステータ５１が設けられている。
【０００６】
陰極収納部４３４に陰極用の高電圧供給構体５２が固定されている。高電圧供給構体５２はレセプタクル５３およびケーブルプラグ５４、ケーブル部分５４ａなどから構成されている。レセプタクル５３はたとえば陰極収納部４３４に固定され、その先端に陰極５５が固定されている。
【０００７】
レセプタクル５３は円錐状の空間５３ａを有し、その空間５３ａの奥に凹状の２つの端子Ｔ１、Ｔ２が形成されている。２つの端子Ｔ１、Ｔ２は陰極５５のフィラメント５５ｆに接続されている。ケーブルプラグ５４はレセプタクル５３の円錐状空間５３ａに嵌合する円柱状で、その先端に凸状の２つの端子ｔ１、ｔ２が形成されている。２つの端子ｔ１、ｔ２はケーブル部分５４ａを通して高圧電源（図示せず）に接続されている。ケーブルプラグ５４がレセプタクル５３に差し込まれ、高圧電源から出力される高電圧がケーブル部分５４ａおよび端子Ｔ１、Ｔ２、ｔ１、ｔ２を経てフィラメント５５ｆに供給される。
【０００８】
上記した構成において、陽極ターゲット４４や陰極５５などに高電圧が印加され、またステータ５１に電流が流される。このとき、ステータ５１が発生する誘導電磁界により回転体４７が回転する。この回転が陽極ターゲット４４に伝達し陽極ターゲット４４が回転する。この状態で、フィラメント５５ｆから陽極ターゲット４４に電子ビームが照射され、陽極ターゲット４４からＸ線が放出される。Ｘ線はＸ線用出力窓４３ｗ、４１ｗを通して外部に取り出される。
【０００９】
【発明が解決しようとする課題】
従来の回転陽極型Ｘ線管装置は、回転陽極型Ｘ線管４２の陽極ターゲット４４や陰極５５に高電圧を供給する高電圧供給構体５２が管軸ｍの延長方向と同じ向きでハウジング４１を貫通し、高電圧供給構体５２たとえばケーブル部分５４ａがハウジング４１から管軸ｍ方向に突出する。
【００１０】
この場合、回転陽極型Ｘ線管装置の管軸ｍ方向の長さが長くなる。したがって、回転陽極型Ｘ線管装置をＣＴ装置や循環器診断装置などの回転架台内に組み込む場合に、回転陽極型Ｘ線管の管軸ｍ方向における回転架台の寸法が長くなり、回転架台が大型化するという問題がある。
【００１１】
本発明は、上記した欠点を解決し、Ｘ線管の管軸方向における寸法が短い回転陽極型Ｘ線管装置を提供することを目的とする。
【００１２】
【課題を解決するための手段】
本発明は、陽極ターゲットおよび陰極を真空外囲器内に配置した回転陽極型Ｘ線管と、この回転陽極型Ｘ線管を収納するハウジングと、このハウジングを貫通し、前記陽極ターゲットおよび前記陰極の少なくとも一方に高電圧を供給する高電圧供給構体とを具備した回転陽極型Ｘ線管装置において、前記高電圧供給構体が、前記回転陽極型Ｘ線管の管軸に対しほぼ平行する前記ハウジングの側壁部分を貫通することを特徴とする。
【００１３】
【発明の実施の形態】
本発明の実施形態について図１の概略の断面図を参照して説明する。
【００１４】
ハウジング１１内に回転陽極型Ｘ線管１２が収納され、ハウジング１１と回転陽極型Ｘ線管１２の隙間に冷却液たとえば絶縁油が満たされている。ハウジング１１は回転陽極型Ｘ線管１２の管軸ｍの延長方向たとえば管軸ｍにほぼ平行する筒状側壁１１１、および、管軸ｍを横切る方向たとえば管軸ｍに対してほぼ垂直で、筒状側壁１１１の前後の開口を封止する前壁１１２や後壁１１３などから構成されている。また、ハウジング１１は分離可能な２つのハウジング部分１１ａ、１１ｂから構成され、管軸ｍに平行な面Ｍで右半分と左半分とに２分できる構造になっている。２つのハウジング部分１１ａ、１１ｂの接合部分にはたとえばフランジｆ１、ｆ２が形成され、フランジｆ１、ｆ２の接合面に、絶縁油が漏れないようにシール部材１３が配置されている。筒状側壁１１１の一部にＸ線用出力窓１１ｗが設けられている。
【００１５】
回転陽極型Ｘ線管１２は真空外囲器１４などから構成され、真空外囲器１４の一部にＸ線用出力窓１４ｗが設けられている。真空外囲器１４は、たとえば径が大きい径大部１４１およびこの径大部１４１よりも径が小さい径小部１４２、筒状の空間をもつ筒状部１４３、陰極収納部１４４などから構成されている。
【００１６】
径大部１４１に陽極ターゲット１５が配置されている。陽極ターゲット１５は継手部１６を介して回転支持機構１７に連結され、回転支持機構１７によって回転可能に支持されている。回転支持機構１７は、継手部１６に連結する回転体１８およびこの回転体１８を回転可能に支える固定体１９などから構成され、回転体１８の下端筒状部の外周面に筒状ロータ２０が接合されている。
【００１７】
回転体１８と固定体１９の嵌合部分に、ラジアル方向およびスラスト方向の動圧式すべり軸受が設けられている。図では、ラジアル方向の２組の動圧式すべり軸受２１が示されている。固定体１９は、その図示上下の両端が真空外囲器１４に固定されている。真空外囲器１４の外側、たとえばロータ２０を囲む位置に誘導電磁界を発生するステータ２２が設けられている。
【００１８】
陰極収納部１４４に陰極２３が配置され、陰極２３やフィラメント２３ｆに高電圧を供給する高電圧供給構体２４が真空外囲器１４の真空側から大気側へと伸び、さらにハウジング１１を貫通している。高電圧供給構体２４は金属製あるいは絶縁物製のレセプタクル２４ａおよび絶縁物製のケーブルプラグ２４ｂ、伝送線を絶縁部材で被覆したケーブル部分２４ｃなどから構成され、たとえばレセプタクル２４ａの部分が陰極収納部１４４の内側に固定されている。ケーブルプラグ２４ｂおよびケーブル部分２４ｃは図面の関係で図１には示されていない。
【００１９】
次に、図１を線ａ−ａで断面した図２を参照して高電圧供給構体２４の構造部分を中心に説明する。図２は図１に対応する部分に同じ符号を付し、重複する説明を一部省略する。
【００２０】
ハウジング１１の筒状側壁１１１の一部が封止部材３１で構成され、封止部材３１の開口部分３１ａに金属製の筒状接合部材３２が気密に接合されている。陰極収納部１４４は開口部分３１ａに向って、たとえば管軸ｍにほぼ直交する方向に伸び、接合部材３２の外周面に気密に接合されている。接合部材３２の内面にレセプタクル２４ａの外周面が気密に接合されている。封止部材３１のハウジング１１本体部分との接合面および封止部材３１と接合部材３２との接合面には絶縁油が漏れないようにするシール部材Ｓ１、Ｓ２が配置されている。
【００２１】
レセプタクル２４ａは円錐状の空間３３を有し、その空間３３の奥に２つの凹状の電気的な接続端子Ｔ１、Ｔ２が形成されている。接続端子Ｔ１、Ｔ２はフィラメント２３ｆの両端に接続されている。レセプタクル２４ａは金属あるいは絶縁物で形成できるが、金属で形成した場合はねじ固定するためのねじ溝などの加工が容易になる。レセプタクル２４ａを金属で形成した場合、レセプタクル２４ａの本体部分と接続端子Ｔ１、Ｔ２は絶縁される。
【００２２】
ケーブルプラグ２４ｂはレセプタクル２３ａの円錐状空間３３に嵌合するほぼ円柱状で、その先端に２つの凸状の電気的な接続端子ｔ１、ｔ２が形成されている。接続端子ｔ１、ｔ２はケーブル部分２４ｃを通して高圧電源（図示せず）に接続されている。
【００２３】
そして、ケーブルプラグ２４ｂがレセプタクル２４ａの空間３３部分に、図示の矢印Ｙ方向たとえば管軸ｍに直交する方向に差し込まれ、高圧電源から出力する高電圧がケーブル部分２４ｃおよびケーブルプラグ２４ｂ、レセプタクル２４ａを通してフィラメント２３ｆに供給される。
【００２４】
上記した構成において、陽極ターゲット１５や陰極２３に高電圧が印加され、またステータ２２に電流が流され、ステータ２２が発生する誘導電磁界により回転体１８が回転する。この回転が陽極ターゲット１５に伝達し陽極ターゲット１５が回転する。この状態で、陰極２３のフィラメント２３ｆから陽極ターゲット１５に電子ビームが照射され、陽極ターゲット１５からＸ線が放出される。Ｘ線はＸ線用出力窓１４ｗ、１１ｗを通して外部に取り出される。
【００２５】
上記した構成によれば、高電圧供給構体たとえばそのケーブル部分２４ｃがハウジング１１の管軸ｍにほぼ平行する筒状側壁１１の開口部分３１ａを貫通し、ハウジング１１から管軸ｍに対して垂直方向に突出する。この場合、回転陽極型Ｘ線管装置の管軸ｍ方向の長さが短くなる。したがって、回転陽極型Ｘ線管装置を組み込む回転架台の管軸方向における寸法を小さくでき架台が小型化する。架台内部の空間には、その構造上、管軸の垂直方向に余裕があるため、高電圧供給構体が管軸の垂直方向に突出しても架台は大型化しない。
【００２６】
次に、本発明の他の実施形態について図３を参照して説明する。図３は図１に対応する部分に同じ符号を付し、重複する説明を一部省略する。
【００２７】
この実施形態では、陽極部分についても、図１の陰極用の高電圧供給構体２４と同様の構造をもつ高電圧供給構体によって高電圧が供給されている。真空外囲器１４の一部に陽極端子収納部６０が設けられ、陽極端子収納部６０内に陽極用の高電圧供給構体６１が収納されている。
【００２８】
高電圧供給構体６１は、図１の高電圧供給構体２４と同様、レセプタクル６１ａおよびケーブルプラグ（図示せず）、ケーブル部分（図示せず）などから構成され、管軸ｍと直交する方向に伸び、管軸に対しほぼ平行するハウジング１１の側壁部分１１１を貫通している。また、高電圧が印加される固定体１９の図示上端は、高電圧供給構体６１の近くまで延長し、その上端面に凹部６２が形成されている。そして、凹部６２にばね状の接続部材６３が固定され、固定体１９と高電圧供給構体６１は接続部材６３を介して電気的に接続される。また、固定体１９内部に、その図示下端面から所定の深さに空洞６４が設けられ、この空洞６４部分に絶縁油が流れる冷却路が形成されている。
【００２９】
上記の実施形態では、高電圧供給構体は内部に空間が設けられたレセプタクルおよびレセプタクルの空間に差し込まれるケーブルプラグ、ケーブルプラグに連続するケーブル部分などから構成されている。しかし、高電圧供給構体は、陽極あるいは陰極などに高電圧を供給できる構成であればよく、上記した以外の任意の形状に構成できる。
【００３０】
【発明の効果】
本発明によれば、Ｘ線管の管軸方向における寸法が短い回転陽極型Ｘ線管装置を実現できる。
【図面の簡単な説明】
【図１】本発明の実施形態を説明するための概略縦断面図である。
【図２】図１の線ａ−ａにおける概略断面図である。
【図３】本発明の他の実施形態を説明するための概略縦断面図である。
【図４】従来例を説明するための概略縦断面図である。
【符号の説明】
１１…ハウジング
１１ａ、１１ｂ…ハウジング部分
１１１…ハウジングの側壁
１１２…ハウジングの前壁
１１３…ハウジングの後壁
１２…回転陽極型Ｘ線管
１３…シール部材
１４…真空外囲器
１５…陽極ターゲット
１６…継手部
１７…回転支持機構
１８…回転体
１９…固定体
２０…筒状ロータ
２１…動圧式すべり軸受
２２…ステータ
２３…陰極
２４…高電圧供給構体
２４ａ…ケーブルプラグ
２４ｂ…レセプタクル
２４ｃ…ケーブル部分
ｍ…管軸
【図１】
2004134096.tif 000003
【図２】
2004134096.tif 000004
【図３】
2004134096.tif 000005
【図４】
2004134096.tif 000006